(57)【要約】  端末デバイスにより実行される、ビームトレーニングのための仕組みが提供される。ある方法は、固定ビームｂ０を用いて、ネットワークノードから、ビームリファレンス信号ｒ１，ｒ２，...，ｒｋ，...，ｒＮのセットの第１回目を受信すること、を含む。前記方法は、受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること、を含む。前記方法は、指向性ビームｂ１，ｂ２，...，ｂｋ，...，ｂＮのセットを用いて、前記ネットワークノードから、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること、を含む。前記方法は、ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノードとの後続の通信のために指向性ビームｂ１，ｂ２，...，ｂｋ，...，ｂＮの前記セット内のどの指向性ビームを使用すべきかを評価すること、を含み、ｋ＝１，...，Ｎとして、指向性ビームｂｋについての信号強度が、補償ファクタｃｋを用いて補償される。【選択図】図３
2021536168.tif 000002
【特許請求の範囲】
【請求項１】
ビームトレーニングのための方法であって、前記方法は端末デバイス（２００）により実行され、前記方法は、
固定ビームｂ０を用いて、ネットワークノード（１４０）から、ビームリファレンス信号ｒ１，ｒ２，...，ｒｋ，...，ｒＮのセットの第１回目を受信すること（Ｓ１０２）と、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること（Ｓ１０４）と、
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること（Ｓ１０６）と、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価すること（Ｓ１０８）であって、ｋ＝１，...，Ｎとして指向性ビームｂｋについての信号強度が補償ファクタｃｋを用いて補償される、評価することと、を含む、方法。
【請求項２】
請求項１に記載の方法であって、各ビームリファレンス信号ｒ１，ｒ２，...，ｒｋ，...，ｒＮは、時間方向に１つの直交周波数分割多重（ＯＦＤＭ）シンボルを占める、方法。
【請求項３】
請求項１又は２に記載の方法であって、ビームリファレンス信号ｒ１，ｒ２，...，ｒｋ，...，ｒＮの前記セットは、同期信号ブロック（ＳＳＢ）により定義される、方法。
【請求項４】
請求項１乃至３のいずれか１項に記載の方法であって、ビームリファレンス信号ｒ１，ｒ２，...，ｒｋ，...，ｒＮの前記セットは、Ｎ＝４となるように４つのビームリファレンス信号を含む、方法。
【請求項５】
請求項１乃至４のいずれか１項に記載の方法であって、前記最も強い受信信号は、リファレンス信号受信電力（ＲＳＲＰ）の観点で判定される、方法。
【請求項６】
請求項５に記載の方法であって、前記ビームリファレンス信号ｒ１，ｒ２，...，ｒｋ，...，ｒＮの各々は、セカンダリ同期信号（ＳＳＳ）を含み、前記ＲＳＲＰは、前記ＳＳＳについて判定される、方法。
【請求項７】
請求項１乃至６のいずれか１項に記載の方法であって、前記補償ファクタｃ１，ｃ２，...，ｃｋ，...，ｃＮは、前記固定ビームｂ０において受信された際のそれぞれの前記ビームリファレンス信号ｒ１，ｒ２，...，ｒｋ，...，ｒＮの受信電力における差に関する、方法。
【請求項８】
請求項１乃至７のいずれか１項に記載の方法であって、前記補償ファクタｃ１，ｃ２，...，ｃｋ，...，ｃＮは、それぞれの前記ビームリファレンス信号ｒ１，ｒ２，...，ｒｋ，...，ｒＮの周波数位置における差に関する、方法。
【請求項９】
請求項１乃至８のいずれか１項に記載の方法であって、前記評価の際の前記信号強度は、受信電力の観点で判定される、方法。
【請求項１０】
請求項９に記載の方法であって、前記固定ビームｂ０を用いて受信された際の全てのビームリファレンス信号ｒ１，ｒ２，...，ｒｋ，...，ｒＮのうちでビームリファレンス信号ｒｊが最高の受信電力を有し、補償ファクタｃｋは、ビームリファレンス信号ｒｋと最高の受信電力を有するビームリファレンス信号ｒｊとの間の受信電力における差ｄｋを特定する、方法。
【請求項１１】
請求項１０に記載の方法であって、指向性ビームｂｋについての前記信号強度は、ｋ＝１，...，Ｎとして指向性ビームｂｋの前記受信電力に受信電力における前記差ｄｋを加算することにより補償される、方法。
【請求項１２】
請求項１乃至１１のいずれか１項に記載の方法であって、前記固定ビームｂ０は、前記指向性ビームｂ１，ｂ２，...，ｂｋ，...，ｂＮよりも幅広である、方法。
【請求項１３】
請求項１乃至１２のいずれか１項に記載の方法であって、前記指向性ビームｂ１，ｂ２，...，ｂｋ，...，ｂＮの各々は、前記固定ビームｂ０よりも狭いビーム幅を有する、方法。
【請求項１４】
請求項１乃至１３のいずれか１項に記載の方法であって、前記ビームトレーニングは、前記ネットワークノード（１４０）への前記端末デバイス（２００）の初期アクセスの一部として、又は前記端末デバイス（２００）による前記ネットワークノード（１４０）へのハンドオーバ後に行われる、方法。
【請求項１５】
請求項１乃至１４のいずれか１項に記載の方法であって、ビームリファレンス信号ｒ１，ｒ２，...，ｒｋ，...，ｒＮの前記セットは、前記端末デバイス（２００）により周期的に受信される、方法。
【請求項１６】
請求項１乃至１５のいずれか１項に記載の方法であって、
ビームリファレンス信号ｒ１，ｒ２，...，ｒｋ，...，ｒＮのセットの前記第１回目を受信する際に、タイマを起動すること（Ｓ１１２ａ）、をさらに含み、 
受信される前記ビームリファレンス信号ｒ１，ｒ２，...，ｒｋ，...，ｒＮのうちの少なくとも１つについての前記補償ファクタｃ１，ｃ２，...，ｃｋ，...，ｃＮのそれぞれの新たな値は、前記タイマの満了後にのみ判定される、方法。
【請求項１７】
請求項１６に記載の方法であって、前記タイマは、高々１時間、あるいは高々３０分、好適には１分未満、という満了時間を有する、方法。
【請求項１８】
請求項１乃至１７のいずれか１項に記載の方法であって、
前記ネットワークノード（１４０）から他のネットワークノード（１４０）へのハンドオーバに参加すること（Ｓ１１２ｂ）、をさらに含み、
受信される前記ビームリファレンス信号ｒ１，ｒ２，...，ｒｋ，...，ｒＮのうちの少なくとも１つについての前記補償ファクタｃ１，ｃ２，...，ｃｋ，...，ｃＮのそれぞれの新たな値は、前記端末デバイス（２００）により前記ネットワークノード（１４０）から前記他のネットワークノード（１４０）へのハンドオーバ後にのみ判定される、方法。
【請求項１９】
請求項１乃至１８のいずれか１項に記載の方法であって、
前記ビームリファレンス信号ｒ１，ｒ２，...，ｒｋ，...，ｒＮの送信電力の変更のインジケーションを前記ネットワークノード（１４０）から取得すること（Ｓ１１２ｃ）、をさらに含み、
受信される前記ビームリファレンス信号ｒ１，ｒ２，...，ｒｋ，...，ｒＮのうちの少なくとも１つについての前記補償ファクタｃ１，ｃ２，...，ｃｋ，...，ｃＮのそれぞれの新たな値は、前記端末デバイス（２００）による前記インジケーションの受信後にのみ判定される、方法。
【請求項２０】
請求項１乃至１９のいずれか１項に記載の方法であって、前記ビームリファレンス信号は、前記端末デバイス（２００）でのアナログビーム形成を用いて受信される、方法。
【請求項２１】
請求項１乃至２０のいずれか１項に記載の方法であって、前記評価の結果として、ｋ＝１，...，Ｎとして前記補償ファクタｃｋを用いて補償された最も強い受信ビームリファレンス信号を伴う前記指向性ビームｂ１，ｂ２，...，ｂｋ，...，ｂＮが前記ネットワークノード（１４０）との後続の通信向けの使用のために選択され、前記方法は、選択される前記指向性ビームを用いて、前記ネットワークノード（１４０）と通信すること（Ｓ１１０）、をさらに含む、方法。
【請求項２２】
請求項１乃至２１のいずれか１項に記載の方法であって、 
ｋ＝１，...，Ｎとしてビームリファレンス信号ｒｋが指向性ビームｂＮ＋ｋにおいて受信されるように、指向性ビームｂＮ＋１，ｂＮ＋２，...，ｂＮ＋ｋ，...，ｂＮ＋Ｎのさらなるセットを用いて、ビームリファレンス信号ｒ１，ｒ２，...，ｒｋ，...，ｒＮの前記セットの第３回目を受信すること（Ｓ１０６ａ）、をさらに含み、
ビームリファレンス信号ｒ１，ｒ２，...，ｒｋ，...，ｒＮの前記セットの前記第３回目における最も強い受信ビームリファレンス信号にも基づいて、前記ネットワークノード（１４０）との後続の通信のために指向性ビームｂ１，ｂ２，...，ｂｋ，...，ｂＮの前記セット内のどの指向性ビームを使用すべきかが評価され、ｋ＝１，...，Ｎとして指向性ビームｂＮ＋ｋについての信号強度が補償ファクタｃｋを用いて補償される、方法。
【請求項２３】
ビームトレーニングのための端末デバイス（２００）であって、前記端末デバイス（２００）は、処理回路（２１０）を備え、前記処理回路は、前記端末デバイス（２００）に、
固定ビームｂ０を用いて、ネットワークノード（１４０）から、ビームリファレンス信号ｒ１，ｒ２，...，ｒｋ，...，ｒＮのセットの第１回目を受信することと、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定することと、
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信することと、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価することであって、ｋ＝１，...，Ｎとして指向性ビームｂｋについての信号強度が補償ファクタｃｋを用いて補償される、評価することと、
を行わせるように構成される、端末デバイス（２００）。
【請求項２４】
ビームトレーニングのための端末デバイス（２００）であって、前記端末デバイス（２００）は、
固定ビームｂ０を用いて、ネットワークノード（１４０）から、ビームリファレンス信号ｒ１，ｒ２，...，ｒｋ，...，ｒＮのセットの第１回目を受信するように構成される受信モジュール（２１０ａ）と、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定するように構成される判定モジュール（２１０ｂ）と
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信するように構成される受信モジュール（２１０ｃ）と、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価するように構成される評価モジュール（２１０ｅ）であって、ｋ＝１，...，Ｎとして指向性ビームｂｋについての信号強度が補償ファクタｃｋを用いて補償される、評価モジュールと、を備える、端末デバイス（２００）。
【請求項２５】
請求項２３又は２４に記載の端末デバイス（２００）であって、請求項２乃至２２のいずれか１項に記載の方法を実行するようにさらに構成される、端末デバイス（２００）。
【請求項２６】
ビームトレーニングのためのコンピュータプログラム（８２０）であって、前記コンピュータプログラムは、コンピュータコードを含み、前記コンピュータコードは、端末デバイス（２００）の処理回路（２１０）において実行された場合に、前記端末デバイス（２００）に、
固定ビームｂ０を用いて、ネットワークノード（１４０）から、ビームリファレンス信号ｒ１，ｒ２，...，ｒｋ，...，ｒＮのセットの第１回目を受信すること（Ｓ１０２）と、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること（Ｓ１０４）と、
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること（Ｓ１０６）と、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価すること（Ｓ１０８）であって、ｋ＝１，...，Ｎとして指向性ビームｂｋについての信号強度が補償ファクタｃｋを用いて補償される、評価することと、
を行わせる、コンピュータプログラム（８２０）。
【請求項２７】
請求項２６に記載のコンピュータプログラム（８２０）と、前記コンピュータプログラムを記憶したコンピュータ読取可能な記憶媒体（８３０）と、を含むコンピュータプログラムプロダクト（８１０）。
【発明の詳細な説明】
【技術分野】
【０００１】
ここで提示される実施形態は、ビームトレーニングのための方法、端末デバイス、コンピュータプログラム及びコンピュータプログラムプロダクトに関連する。
【背景技術】
【０００２】
通信ネットワークにおいて、所与の通信プロトコル、そのパラメータ、及び通信ネットワークが展開される物理環境について、良好な性能及びキャパシティを獲得するという課題が存在し得る。
【０００３】
例えば、モバイル通信ネットワークの将来の世代について、多くの異なるキャリア周波数にある周波数帯域が必要とされるかもしれない。例えば、複数のワイヤレスデバイスについて十分なネットワークカバレッジを達成するために低周波のそうした帯域が必要とされ、かつ、所要のネットワークキャパシティに到達するためにより高周波の帯域（例えば、ミリメートル波長（ｍｍＷ）、即ち３０ＧＨｚ近傍又はそれ以上）が必要とされるかもしれない。一般的にいうと、無線チャネルの高周波での伝播特性はより厳しく、十分なリンクバジェットに到達するために、ネットワークのネットワークノード及びワイヤレスデバイスの双方でのビーム形成を要するであろう。
【０００４】
そうした高周波にて予期される高い伝播損失を補償するために、狭ビームの送受信方式が必要とされるであろう。所与の通信リンクについて、（ネットワークノード又はその送受信ポイント（ＴＲＰ）により表される）ネットワーク側及び（端末デバイスにより表される）端末側の双方にそれぞれビームを適用することができ、これを典型的にビームペアリンク（ＢＰＬ）という。ビーム管理手続の１つのタスクは、ビームペアリンクを発見し及び維持することである。ＢＰＬ（即ち、ネットワークノードにより使用されるビーム及び端末デバイスにより使用されるビームの双方）は、ビーム管理のために使用されるチャネル状態情報リファレンス信号（ＣＳＩ−ＲＳ）又は同期信号ブロック（ＳＳＢ）信号といったダウンリンクリファレンス信号の測定結果を用いて、ネットワークにより発見され及び監視されるものと予期されている。
【０００５】
ビーム管理のためのＣＳＩ−ＲＳは、周期的に、半永続的に、又は非周期的に（イベントトリガ方式で）送信されることができ、それらは複数の端末デバイス間で共用されるか、又はデバイス固有であるかのいずれかであり得る。ＳＳＢは、周期的に送信され、全ての端末デバイスについて共用される。端末デバイスが適切なネットワークノードのビームを見出せるように、ネットワークノードは、相異なる送信（ＴＸ）ビームにおいてリファレンス信号を送信し、それに対して端末デバイスはリファレンス信号受信電力（ＲＳＲＰ）といった測定を実行し、Ｍ個の最良のＴＸビームの報告を返す（Ｍはネットワークにより構成可能である）。さらに、所与のＴＸビーム上でのリファレンス信号の送信を繰り返して、端末デバイスが適切な受信（ＲＸ）ビームを評価することを可能にすることができる。
【０００６】
ＴＲＰによりサービスされる全ての端末デバイスの間で共用されるリファレンス信号は、最初の粗い方向を端末デバイスについて判定するために使用され得る。ＳＳＢをリファレンス信号として使用することが、ＴＲＰにおけるそうした周期的なＴＸビームスイープに適しているかもしれない。その理由は、ＳＳＢはいずれにしろ（初期アクセス／同期の目的のために）周期的に送信されるのであり、ＳＳＢは上述したより高い伝播損失を克服するために高周波でビーム形成されることも予期されているからである。
【０００７】
図１は、１つのＳＳＢを送信するための時間／周波数リソースを概略的に示している（ＰＲＢは、物理リソースブロックの略である）。図１において、各ＳＳＢは、ＯＦＤＭｓｙｍｂ１、ＯＦＤＭｓｙｍｂ２、ＯＦＤＭｓｙｍｂ３及びＯＦＤＭｓｙｍｂ４と表記されている４つの直交周波数分割多重（ＯＦＤＭ）シンボルからなる。プライマリ同期信号（ＰＳＳ）のための時間／周波数リソースは、第１ＯＦＤＭシンボル内に位置し、粗い時間／周波数同期を見出すために使用される。物理ブロードキャストチャネル（ＰＢＣＨ）のための時間／周波数リソースは、第２、第３及び第４ＯＦＤＭシンボル内に位置し、必要なシステム情報ビットを含む。セカンダリ同期信号（ＳＳＳ）のための時間／周波数リソースは、第２ＯＦＤＭシンボル内に位置し、より精細な時間／周波数同期を確立するために使用される。
【０００８】
端末デバイスがＴＲＰへの初期アクセスを得られるように、ＴＲＰは、ＳＳＢ及びブロードキャストされるシステム情報を送信する。初期アクセスの期間中に、端末デバイスは、それぞれのＳＳＢ（ＴＲＰはビーム形成される複数のＳＳＢを使用する場合あり）について受信電力を測定し、そのようにして好ましいＴＲＰ  ＴＸ  ＳＳＢビームを判定することができる。端末デバイスは、ＴＲＰへ物理ランダムアクセスチャネル（ＰＲＡＣＨ）シーケンスを送信することで応答を行う。端末デバイスがＰＲＡＣＨをＴＲＰへシグナリングする場合、そのＰＲＡＣＨシーケンスは、受信された最良のＳＳＢに基づいて決定されることになる。このようにして、ＴＲＰは、ＳＳＢが送信されたどのＴＸビームがその端末デバイスにとって最良であったのかを暗黙的に把握する。そして、端末デバイスは、他の命令が与えられるまで、その好ましいＴＲＰ  ＴＸビームにおいてＴＲＰが制御及び／又はデータ信号を送信し続けることを期待する。
【０００９】
こうしたより高い周波数で動作するいくつかの端末デバイスは、アナログビーム形成を使用するであろう。初期アクセスの期間中に、ＴＲＰがどこに位置するのかに関する何らかの空間的情報を端末デバイスが有する前に、端末デバイスは、できる限り無指向性のカバレッジを獲得しようとしてワイドビームを使用することになると予期される。初期アクセスの後、経路利得を増加させる目的で、端末デバイスがより狭いＲＸビームを見出すことが好ましいであろう。これを達成する１つの手法は、ＴＲＰにＣＳＩ−ＲＳに基づいて端末デバイスでのＲＸビームスイープ手続を開始させることであり、これは、基本的には、端末デバイスが相異なるＲＸビームを通じてスイープを行い、各ＲＸビームでの受信電力を測定し、受信電力の最も高いビームを選択することが可能となるように、ＴＲＰが固定的なＴＸビームにおいてＣＳＩ−ＲＳのバーストを送信することを意味する。このアプローチに伴う１つの課題は、余計なオーバヘッドシグナリングが必要となり、そのためにビームトレーニングの目的に特化した余計な時間／周波数リソースを要する結果となることである。
【００１０】
よって、より少ないオーバヘッドシグナリングしか要しない改善されたビームトレーニングに向けたニーズが依然として存在する。
【発明の概要】
【００１１】
ここでの実施形態の目的は、上述した課題を解決し又は少なくとも軽減し若しくは減少させるような効率的なビームトレーニングを可能にすることである。
【００１２】
第１の側面によれば、端末デバイスにより実行される、ビームトレーニングのための方法が提示される。前記方法は、固定ビームｂ０を用いて、ネットワークノードから、ビームリファレンス信号ｒ１，ｒ２，...，ｒｋ，...，ｒＮのセットの第１回目を受信すること、を含む。前記方法は、受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること、を含む。前記方法は、指向性ビームｂ１，ｂ２，...，ｂｋ，...，ｂＮのセットを用いて、前記ネットワークノードから、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること、を含む。前記方法は、ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノードとの後続の通信のために指向性ビームｂ１，ｂ２，...，ｂｋ，...，ｂＮの前記セット内のどの指向性ビームを使用すべきかを評価すること、を含み、ｋ＝１，...，Ｎとして指向性ビームｂｋについての信号強度が補償ファクタｃｋを用いて補償される。
【００１３】
第２の側面によれば、ビームトレーニングのための端末デバイスが提示される。前記端末デバイスは、処理回路を備える。前記処理回路は、前記端末デバイスに、固定ビームｂ０を用いて、ネットワークノードから、ビームリファレンス信号ｒ１，ｒ２，...，ｒｋ，...，ｒＮのセットの第１回目を受信すること、を行わせるように構成される。前記処理回路は、前記端末デバイスに、受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること、を行わせるように構成される。前記処理回路は、前記端末デバイスに、指向性ビームｂ１，ｂ２，...，ｂｋ，...，ｂＮのセットを用いて、前記ネットワークノードから、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること、を行わせるように構成される。前記処理回路は、前記端末デバイスに、ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノードとの後続の通信のために指向性ビームｂ１，ｂ２，...，ｂｋ，...，ｂＮの前記セット内のどの指向性ビームを使用すべきかを評価することであって、ｋ＝１，...，Ｎとして指向性ビームｂｋについての信号強度が補償ファクタｃｋを用いて補償される、評価すること、を行わせるように構成される。
【００１４】
第３の側面によれば、ビームトレーニングのための端末デバイスが提示される。前記端末デバイスは、固定ビームｂ０を用いて、ネットワークノードから、ビームリファレンス信号ｒ１，ｒ２，...，ｒｋ，...，ｒＮのセットの第１回目を受信する、ように構成される受信モジュールを備える。前記端末デバイスは、受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定する、ように構成される判定モジュール、を備える。前記端末デバイスは、指向性ビームｂ１，ｂ２，...，ｂｋ，...，ｂＮのセットを用いて、前記ネットワークノードから、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信する、ように構成される受信モジュール、を備える。前記端末デバイスは、ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノードとの後続の通信のために指向性ビームｂ１，ｂ２，...，ｂｋ，...，ｂＮの前記セット内のどの指向性ビームを使用すべきかを評価する、ように構成される評価モジュールであって、ｋ＝１，...，Ｎとして指向性ビームｂｋについての信号強度が補償ファクタｃｋを用いて補償される、評価モジュール、を備える。
【００１５】
第４の側面によれば、ビームトレーニングのためのコンピュータプログラムが提示され、前記コンピュータプログラムは、端末デバイスにおいて実行された場合に、前記端末デバイスに、前記第３の側面に係る方法を実行させるコンピュータプログラムコード、を含む。
【００１６】
第５の側面によれば、コンピュータプログラムプロダクトが提示され、前記コンピュータプログラムプロダクトは、前記第４の側面に係るコンピュータプログラムと、前記コンピュータプログラムが格納されるコンピュータ読取可能な記憶媒体と、を含む。前記コンピュータ読取可能な記憶媒体は、非一時的なコンピュータ読取可能な記憶媒体であってもよい。
【００１７】
有利なこととして、これは、端末デバイスにとって効率的なビームトレーニングを提供する。
【００１８】
有利なこととして、提案されるビームトレーニングは、上述した課題には悩まされない。
【００１９】
有利なこととして、提案されるビームトレーニングによって、端末デバイスでのＲＸビームトレーニングのためにＳＳＢを使用することができ、ＳＳＢが位置する相異なるＯＦＤＭシンボルについて正確な受信電力推定を端末デバイスが行うことが可能とされ、それにより端末デバイスでのＲＸビーム選択の精度が改善することになる。
【００２０】
包含される実施形態の他の目的、特徴及び利点が、以下の詳細な開示から、添付の従属請求項から、並びに図面から明らかとなるであろう。
【００２１】
概して、特許請求の範囲において使用される全ての用語は、ここで別段の明示的な定義のない限り、当技術分野におけるそれらの通常の意味に従って解釈されるべきである。あるエレメント、装置、コンポーネント、手段、モジュール、ステップなどへの全ての言及は、別段の明示的な記述の無い限り、それらエレメント、装置、コンポーネント、手段、モジュール、ステップなどの少なくとも１つの実例への言及としてオープンに解釈されるべきである。ここで開示されるどの方法のステップも、別段の明示的な記述の無い限り、開示した厳密な順序で実行されなくてよい。
【図面の簡単な説明】
【００２２】
次の添付図面を参照しながら、発明概念がこれより例示のやり方で説明される：
【００２３】
【図１】１つのＳＳＢについての時間／周波数リソースを概略的に示している。
【図２】実施形態に係る通信ネットワークを示す概略図である。
【図３】実施形態に係る方法のフローチャートである。
【図４】一実施形態に係る図２の通信ネットワークの各部を概略的に示している。
【図５】一実施形態に係るシグナリング図である。
【図６】一実施形態に係る端末デバイスの機能ユニット群を示す概略図である。
【図７】一実施形態に係る端末デバイスの機能モジュール群を示す概略図である。
【図８】一実施形態に係るコンピュータ読取可能な記憶媒体を含むコンピュータプログラムプロダクトの１つの例を示している。
【発明を実施するための形態】
【００２４】
発明概念のある実施形態が描かれている添付図面を参照しながら、これより発明概念が一層充分に説明されるであろう。その発明概念は、しかしながら、多くの異なる形式で具現化されてよく、ここで説示される実施形態に限定されるものとして解釈されるべきではなく、むしろ、それら実施形態は、本開示を綿密かつ完全なものとして当業者に発明概念のスコープが充分に伝わるように、例示の手段で提供されている。説明を通じて、類似の番号は類似のエレメントを指す。破線で示されるどのステップ又は特徴も、随意的なものと見なされるべきである。
【００２５】
図２は、ここで提示される実施形態を適用することのできる通信ネットワーク１００を示す概略図である。通信ネットワーク１００は、第３世代（３Ｇ）電気通信ネットワーク、第４世代（４Ｇ）電気通信ネットワーク、又は第５（５Ｇ）電気通信ネットワークであってよく、当てはまる場合にはいずれかの３ＧＰＰ電気通信標準をサポートする。
【００２６】
通信ネットワーク１００は、無線アクセスネットワーク１１０において少なくとも１つの端末デバイス２００にネットワークアクセスを提供するように構成されるネットワークノード１４０を含む。無線アクセスネットワーク１１０は、コアネットワーク１２０へ動作可能に接続される。転じて、コアネットワーク１２０は、インターネットなどのサービスネットワーク１３０へ動作可能に接続される。それにより、端末デバイス２００は、ネットワークノード１４０を介して、サービスネットワーク１３０のサービスへアクセスし及びサービスネットワーク１３０との間でデータを交換することを可能とされる。
【００２７】
ネットワークノード１４０の例は、無線アクセスネットワークノード、無線基地局、基地送受信局、ノードＢ、進化型ノードＢ、ｇノードＢ、アクセスポイント及びアクセスノード、並びにバックホールノードである。端末デバイス２００の例は、ワイヤレスデバイス、移動局、モバイルフォン、ハンドセット、ワイヤレスローカルループフォン、ユーザ機器（ＵＥ）、スマートフォン、ラップトップコンピュータ、タブレットコンピュータ、ネットワーク対応センサ、ネットワーク対応車両、及びいわゆるＩｏＴ（Internet of Things）デバイスである。
【００２８】
ネットワークノード１４０は、ＴＲＰ１５０と共設され、統合され、又は動作上の通信関係にある。
【００２９】
ネットワークノード１４０（そのＴＲＰ１５０を介する）と端末デバイス２０とは、ビームのそれぞれのセット１６０、１７０で互いに通信するように構成される。
【００３０】
上で開示したように、端末デバイス２００におけるビームトレーニングを包含するビーム管理手続が、ビーム群１６０のうちの１つ及びビーム群１７０のうちの１つを含むＢＰＬを確立するために使用され得る。既存のビームトレーニング手続に伴う課題は上で述べている。
【００３１】
余計なオーバヘッドシグナリング無しで端末デバイス２００が自身の受信ビームを調整するための代替的な手法は、端末デバイス２００の初期アクセスの後の周期的なＳＳＢ送信の期間中に異なる受信ビームを評価するように端末デバイス２００を構成することである。各ＳＳＢは４つの信号からなることから、各ＳＳＢ送信の期間中に最大で４つの受信ビームを評価することができる。しかしながら、異なる信号に異なる電力ブースティングがなされるケースでは、このタイプの手続にはいくつかの潜在的な課題が伴い得る。
【００３２】
より詳しくいうと、ＳＳＢ内の複数の信号についてビームトレーニング手続を実行すると、１つのＳＳＢ内の相異なる信号が相異なる周波数部分にまたがっており、相異なる出力電力で送信され得ることから、受信電力の誤った推定をもたらしかねない。これは、端末デバイス２００における誤ったビーム選択につながり、そのために性能を低下させる。
【００３３】
したがって、ここで開示される実施形態は、ビームトレーニングのための仕組みに関連する。そうした仕組みを得るために、端末デバイス２００、端末デバイス２００により実行される方法、及び、例えば端末デバイス２００において実行された場合に端末デバイス２００にその方法を行わせるコンピュータプログラムの形式のコードを含むコンピュータプログラムプロダクトが提供される。
【００３４】
図３は、ビームトレーニングのための方法の実施形態を示すフローチャートである。上記方法は、端末デバイス２００により実行される。上記方法は、有利には、コンピュータプログラム８２０として提供される。
【００３５】
端末デバイス２００は、ビームトレーニングを実行することを必要とするものとする。端末デバイス２００にとってビームトレーニングを実行する理由の例が以下で開示されるであろう。ビームトレーニングは、ネットワークノード１４０により送信され端末デバイス２００により受信されるビームリファレンス信号ｒ１，ｒ２，...，ｒｋ，...，ｒＮに基づく。よって、端末デバイス２００は、ステップＳ１０２を行うように構成される：
【００３６】
Ｓ１０２：端末デバイス２００は、ビームリファレンス信号ｒ１，ｒ２，...，ｒｋ，...，ｒＮのセットの第１回目を受信する。ビームリファレンス信号ｒ１，ｒ２，...，ｒｋ，...，ｒＮのセットの第１回目は、端末デバイス２００により、固定ビームｂ０を用いて受信される。ビームリファレンス信号ｒ１，ｒ２，...，ｒｋ，...，ｒＮのセットの第１回目は、端末デバイス２００により、ネットワークノード１４０から受信される。
【００３７】
受信したビームリファレンス信号の生の測定結果を用いる代わりに、端末デバイス２００は、ビームリファレンス信号の補償された測定結果を用いるように構成される。したがって、端末デバイス２００は、ステップＳ１０４を行うように構成される：
【００３８】
Ｓ１０４：端末デバイス２００は、受信されるビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定する。
【００３９】
この点において、"受信されるビームリファレンス信号のうちの少なくとも１つ"とは、受信されるビームリファレンス信号のうちのただ１つから、受信されるビームリファレンス信号のうちの全て（あるいは少なくとも１つを除く全て）までの範囲をとり得る。
【００４０】
そして、端末デバイス２００は、ビームリファレンス信号を受信する際に、指向性ビームを使用する。具体的には、端末デバイス２００は、ステップＳ１０６を行うように構成される：
【００４１】
Ｓ１０６：端末デバイス２００は、指向性ビームｂ１，ｂ２，...，ｂｋ，...，ｂＮのセットを用いて、ネットワークノード１４０から、ビームリファレンス信号ｒ１，ｒ２，...，ｒｋ，...，ｒＮのセットの第２回目を受信する。指向性ビームｂ１，ｂ２，...，ｂｋ，...，ｂＮのセットは、ｋ＝１，...，Ｎとしてビームリファレンス信号ｒｋが指向性ビームｂｋにおいて受信されることになる形で使用される。
して、ビームリファレンス信号のうちのどれが最高の信号強度で受信されたかが判定される際に、端末デバイス２００により補償ファクタが使用される。具体的には、端末デバイス２００は、ステップＳ１０８を行うように構成される。
【００４２】
Ｓ１０８：端末デバイス２００は、ネットワークノード１４０との後続の通信のために指向性ビームｂ１，ｂ２，...，ｂｋ，...，ｂＮのセット内のどの指向性ビームを使用すべきかを評価する。その評価は、ｋ＝１，...，Ｎとして補償ファクタｃｋを用いて補償を行いつつ、ビームリファレンス信号ｒ１，ｒ２，...，ｒｋ，...，ｒＮのセットの第２回目における最も強い受信ビームリファレンス信号に基づいてなされる。ｋ＝１，...，Ｎとして、指向性ビームｂｋについての信号強度が、補償ファクタｃｋを用いて補償される。
【００４３】
このようにして、ビームリファレンス信号ｒ１，ｒ２，...，ｒｋ，...，ｒＮのセットの第１回目を受信し及びそれらビームリファレンス信号ｒ１，ｒ２，...，ｒｋ，...，ｒＮについて受信電力を算出する際には、端末デバイス２００にて固定ビームｂ０により規定される通りの固定的なＲＸビームが使用され、端末デバイス２００は指向性ビームｂ１，ｂ２，...，ｂｋ，...，ｂＮにおいて受信されるそれぞれのビームリファレンス信号ｒ１，ｒ２，...，ｒｋ，...，ｒＮについての補償ファクタを見出すことが可能とされ、それが相異なるビームリファレンス信号ｒ１，ｒ２，...，ｒｋ，...，ｒＮ間の出力電力及び／又は周波数割当ての潜在的な差を相殺する。そして、端末デバイス２００は、ビームリファレンス信号ｒ１，ｒ２，...，ｒｋ，...，ｒＮのセットの第２回目に対しＲＸビームスイープを行う際に、相異なるＲＸビームについて受信電力推定結果の公平な比較をとる目的で、それら補償ファクタを使用する。
【００４４】
次に、端末デバイス２００により実行されるビームトレーニングのさらなる詳細に関連する実施形態が開示されるであろう。
【００４５】
端末デバイス２００がビームリファレンス信号を受信するための様々な手法があり得る。例えば、端末デバイス２００は、アナログビーム形成、デジタルビーム形成又はハイブリッドビーム形成を用いてビームリファレンス信号を受信してよい。一実施形態によれば、ビームリファレンス信号は、端末デバイス２００でのアナログビーム形成を用いて受信される。アナログビーム形成は、概して、デジタルビーム形成及びハイブリッドビーム形成よりもハードウェア要件の観点で簡易かつ低コストである。
【００４６】
ビームリファレンス信号ｒ１，ｒ２，...，ｒｋ，...，ｒＮ、及びビームリファレンス信号ｒ１，ｒ２，...，ｒｋ，...，ｒＮを送信する手法には、様々な種類があってよい。
【００４７】
一実施形態によれば、各ビームリファレンス信号ｒ１，ｒ２，...，ｒｋ，...，ｒＮは、時間方向で１つのＯＦＤＭシンボルを占める。一方で、周波数の次元では、１ＯＦＤＭシンボルの全体を占めることを要しない（即ち、複数のビームリファレンス信号により占められる）。
【００４８】
一実施形態によれば、ビームリファレンス信号ｒ１，ｒ２，...，ｒｋ，...，ｒＮのセットは、端末デバイス２００により周期的に受信される。
【００４９】
一実施形態によれば、ビームリファレンス信号ｒ１，ｒ２，...，ｒｋ，...，ｒＮのセットは、同期信号ブロック（ＳＳＢ）により定義される。よって、端末デバイス２００は、ネットワークノード１４０により周期的に送信されるＳＳＢについて測定を行ってよい。
【００５０】
様々な種類のＳＳＢが存在し得る。一実施形態によれば、ビームリファレンス信号ｒ１，ｒ２，...，ｒｋ，...，ｒＮのセットは、Ｎ＝４となるように４つのビームリファレンス信号を含む。これにより、ビームトレーニングの目的で既存のＳＳＢを使用することが可能となる。
【００５１】
端末デバイス２００がどの信号が最も強い受信信号であるかを判定するための様々な手法があり得る。一実施形態によれば、最も強い受信信号は、リファレンス信号受信電力（ＲＳＲＰ）の観点で判定される。
【００５２】
ビームリファレンス信号の様々な部分について、ＲＳＲＰが判定されてよい。一実施形態によれば、ビームリファレンス信号ｒ１，ｒ２，...，ｒｋ，...，ｒＮの各々は、セカンダリ同期信号（ＳＳＳ）を含み、ＲＳＲＰはＳＳＳを対象として判定される。そして、これはＳＳＳがＳＳＢの一部であるケースであり得る。
【００５３】
さらに、ネットワークノード１４０から受信されるＰＢＣＨを含む任意の信号について、少なくともＰＢＣＨの復調のために使用される復調リファレンス信号（ＤＭＲＳ）のために使用されているリソースエレメントを、ＲＳＲＰを算出するために使用することができる。ＰＳＳ及びＳＳＳについて、割当てられている全てのリソースエレメントが、ＲＳＲＰの算出のために使用されてもよい。
【００５４】
端末デバイス２００がビームトレーニングを行うための様々な手法があり得る。それに関連する複数の側面が以下に開示されるであろう。
【００５５】
ビームトレーニングに関連するある側面は、使用されるビームｂ０，ｂ１，ｂ２，...，ｂｋ，...，ｂＮの種類に関係する。例えば、幅狭の指向性ビームｂ１，ｂ２，...，ｂｋ，...，ｂＮが使用される前に、幅の広い固定ビームｂ０が使用されてもよい。一実施形態によれば、固定ビームｂ０は、指向性ビームｂ１，ｂ２，...，ｂｋ，...，ｂＮよりも幅広である。例えば、固定ビームｂ０は、ワイドビームであってよく、できる限り無指向性であってよい。一実施形態によれば、指向性ビームｂ１，ｂ２，...，ｂｋ，...，ｂＮの各々は、固定ビームｂ０よりも狭いビーム幅を有する。例えば、指向性ビームｂ１，ｂ２，...，ｂｋ，...，ｂＮは、いわゆるペン形状の狭ビームであってもよい。
【００５６】
ビームトレーニングに関連する１つの側面は、ビームトレーニングがトリガされる基準に関係する。端末デバイス２００がビームトレーニングを行うための様々なトリガがあり得る。
【００５７】
１つのトリガは、初期アクセスである。一実施形態によれば、ビームトレーニングは、端末デバイス２００により行われるネットワークノード１４０への初期アクセスのの一部として実行される。したがって、この初期アクセス手続の期間中に、端末デバイス２００は、測定を行って、例えば最も強いＳＳＢについての（例えば、ＯＦＤＭシンボルごとの）受信電力を記憶する。代替的に、端末デバイス２００は、測定を行って、最も強いＭ個のＳＳＢの平均に基づく（例えば、ＯＦＤＭシンボルごとの）受信電力を記憶する。
【００５８】
他のトリガはハンドオーバである。一実施形態によれば、ビームトレーニングは、端末デバイス２００がハンドオーバした先のネットワークノード１４０に対して行われる。補償ファクタｃ１，ｃ２，...，ｃｋ，...，ｃＮの新たな値の判定をいつトリガするかの複数の側面が以下で開示されるであろう。
【００５９】
補償ファクタｃ１，ｃ２，...，ｃｋ，...，ｃＮの複数の側面が次に開示されるであろう。
【００６０】
いくつかの側面において、補償ファクタは、受信電力における差に基づく。具体的には、一実施形態によれば、補償ファクタｃ１，ｃ２，...，ｃｋ，...，ｃＮは、固定ビームｂ０において受信された際のそれぞれのビームリファレンス信号ｒ１，ｒ２，...，ｒｋ，...，ｒＮの受信電力における差に関する。
【００６１】
いくつかの側面において、補償ファクタは、周波数位置における差に基づく。具体的には、一実施形態によれば、補償ファクタｃ１，ｃ２，...，ｃｋ，...，ｃＮは、それぞれのビームリファレンス信号ｒ１，ｒ２，...，ｒｋ，...，ｒＮの周波数位置における差に関する。これは、（例えば、ネットワークノード１４０と端末デバイス２００との間の周波数選択的な無線伝播チャネルに起因して）同じ１つの指向性ビームについて相異なる周波数位置で受信される信号電力の量が異なる場合に有利である。
【００６２】
端末デバイス２００が補償ファクタｃ１，ｃ２，...，ｃｋ，...，ｃＮを判定するための様々な手法があり得る。
【００６３】
いくつかの側面において、信号強度は、受信電力の観点で判定される。即ち、一実施形態によれば、信号強度は、ステップＳ１０８における評価の最中に、受信電力の観点で判定される。
【００６４】
いくつかの側面において、補償ファクタは、最も強いリファレンス信号に対する受信電力の差を基準として判定される。即ち、一実施形態によれば、固定ビームｂ０を用いて受信された際の全てのビームリファレンス信号ｒ１，ｒ２，...，ｒｋ，...，ｒＮのうちで、ビームリファレンス信号ｒｊが最高の受信電力を有するものとする。そして、補償ファクタｃｋは、ビームリファレンス信号ｒｋと最高の受信電力を有するビームリファレンス信号ｒｊとの間の受信電力における差ｄｋを特定する。
【００６５】
端末デバイス２００が補償ファクタを適用するための様々な手法があり得る。一実施形態によれば、指向性ビームｂｋについての信号強度は、ｋ＝１，...，Ｎとして指向性ビームｂｋの受信電力に受信電力差ｄｋを加算することにより補償される。他の例において、指向性ビームｂｋについての信号強度は、ｋ＝１，...，Ｎとして指向性ビームｂｋの受信電力から受信電力差ｄｋを減算することにより補償される。また別の例において、いくつかの指向性ビームについては、受信電力の値は、受信電力に受信電力差を加算することにより補償され、他の指向性ビームについては、受信電力の値は、受信電力から受信電力差を減算することにより補償される。以下に例が提供されるであろう。
【００６６】
いくつかの側面において、端末デバイス２００は、Ｎ個よりも多くの指向性ビームを有する。したがって、端末デバイス２００は、各指向性ビームにおいて１つのビームリファレンス信号が端末デバイス２００にて受信されるように、ビームリファレンス信号ｒ１，ｒ２，...，ｒｋ，...，ｒＮのセットのさらなる受信を行うことを必要とするかもしれない。そのため、一実施形態によれば、端末デバイス２００は、（随意的な）ステップＳ１０６ａを行うように構成される：
【００６７】
Ｓ１０６ａ：端末デバイス２００は、ｋ＝１，...，Ｎとしてビームリファレンス信号ｒｋが指向性ビームｂＮ＋ｋにおいて受信されるように、指向性ビームｂＮ＋１，ｂＮ＋２，...，ｂＮ＋ｋ，...，ｂＮ＋Ｎのさらなるセットを用いて、ビームリファレンス信号ｒ１，ｒ２，...，ｒｋ，...，ｒＮのセットの第３回目を受信する。
【００６８】
次いで、ビームリファレンス信号ｒ１，ｒ２，...，ｒｋ，...，ｒＮのセットの第３回目における最も強い受信ビームリファレンス信号にも基づいて、ステップＳ１０８で、ネットワークノード１４０との後続の通信のために指向性ビームｂ１，ｂ２，...，ｂｋ，...，ｂＮのセット内のどの指向性ビームを使用すべきかが評価される。ｋ＝１，...，Ｎとして、指向性ビームｂＮ＋ｋについての信号強度は、補償ファクタｃｋを用いて補償される。
【００６９】
いくつかの側面において、ステップＳ１０６ａは、ステップＳ１０６の一部として行われる。端末デバイス２００が２Ｎ個より多くの指向性ビームを有する場合には、指向性ビームｂ２Ｎ＋１，ｂ２Ｎ＋２，...，ｂ２Ｎ＋ｋ，...，ｂ２Ｎ＋Ｎのまたさらなるセットで、ステップＳ１０６がさらに生じ得る。
【００７０】
ステップＳ１０８における評価を一旦実行した際の端末デバイス２００の動作のための様々な手法があり得る。いくつかの側面において、ステップＳ１０８での評価の結果として、ｋ＝１，...，Ｎとして補償ファクタｃｋを用いて補償された最も強い受信ビームリファレンス信号を伴う指向性ビームｂ１，ｂ２，...，ｂｋ，...，ｂＮが、ネットワークノード１４０との後続の通信向けの使用のために選択される。そして、選択された指向性ビームを、ネットワークノード１４０と通信する際に端末デバイス２００により使用することができる。よって、一実施形態によれば、端末デバイス２００は、（随意的な）ステップＳ１１０を行うように構成される：
【００７１】
Ｓ１１０：端末デバイス２００は、 選択される指向性ビームを用いて、ネットワークノード１４０と通信する。
【００７２】
上で開示したように、端末デバイス２００がビームトレーニングを行うための様々なトリガがあり得る。この点において、端末デバイス２００が補償ファクタｃ１，ｃ２，...，ｃｋ，...，ｃＮの新たな値をいつ判定すべきか、又はそもそも判定すべきなのかを判定するための様々なトリガがあり得る。いくつかの側面では、ネットワークノード１４から同じビームリファレンス信号が繰り返し送信されることになり、したがって、端末デバイス２００にとっては、補償ファクタの値を一度判定してから必要となる都度それら値を使用することで充分であり得る。
【００７３】
１つのトリガは、データセッションの長さに関係する。第１の例によれば、補償ファクタの新たな値は、端末デバイス２００向けのデータセッションが長くなる場合に判定される。よって、この第１の例によれば、補償ファクタの新たな値は、タイマの満了後に判定される。具体的には、一実施形態によれば、端末デバイス２００は、（随意的な）ステップＳ１１２ａを行うように構成される：
【００７４】
Ｓ１１２ａ：端末デバイス２００は、ビームリファレンス信号ｒ１，ｒ２，...，ｒｋ，...，ｒＮのセットの第１回目を受信する際に、タイマを起動する。そして、受信されるビームリファレンス信号ｒ１，ｒ２，...，ｒｋ，...，ｒＮのうちの少なくとも１つについての補償ファクタｃ１，ｃ２，...，ｃｋ，...，ｃＮのそれぞれの新たな値は、この実施形態によれば、当該タイマの満了後にのみ判定される。
【００７５】
有利なこととして、これにより、端末デバイス２００が補償ファクタｃ１，ｃ２，...，ｃｋ，...，ｃＮの新たな値を周期的に判定することが可能となる。
【００７６】
タイマの様々な例が存在し得る。いくつかの例において、タイマは、約１時間から約１０秒までの間隔の値をとる満了期間を有する。具体的には、一実施形態によれば、タイマは、高々１時間、あるいは高々３０分、好適には１分未満（１０秒と２０秒との間など）、という満了時間を有する。
【００７７】
他のトリガは、ハンドオーバに関係する。第２の例によれば、端末デバイス２００は、ネットワークノード１４０から他のネットワークノード１４０へハンドオーバする。このいわゆる他のネットワークノード１４０からのビームリファレンス信号の送信は、以前のビームリファレンス信号ｒ１，ｒ２，...，ｒｋ，...，ｒＮの受信元であるネットワークノード１４０からの送信とは異なる電力セッティングを有するかもしれない。よって、この第２の例によれば、補償ファクタの新たな値は、端末デバイス２００から他のネットワークノード１４０へのハンドオーバ後に判定される。具体的には、一実施形態によれば、端末デバイス２００は、（随意的な）ステップＳ１１２ｂを行うように構成される：
【００７８】
Ｓ１１２ｂ：端末デバイス２００は、ネットワークノード１４０から他のネットワークノード１４０へのハンドオーバに参加する。そして、受信されるビームリファレンス信号ｒ１，ｒ２，...，ｒｋ，...，ｒＮのうちの少なくとも１つについての補償ファクタｃ１，ｃ２，...，ｃｋ，...，ｃＮのそれぞれの新たな値は、この実施形態によれば、端末デバイス２００によりネットワークノード１４０からいわゆる他のネットワークノード１４０へのハンドオーバ後にのみ判定される。
【００７９】
また別のトリガは、送信電力に関係する。第３の例によれば、補償ファクタの新たな値は、ネットワークノード１４０による送信電力の変更後に判定される。具体的には、一実施形態によれば、端末デバイス２００は、（随意的な）ステップＳ１１２ｃを行うように構成される：
【００８０】
Ｓ１１２ｃ：端末デバイス２００は、ビームリファレンス信号ｒ１，ｒ２，...，ｒｋ，...，ｒＮの送信電力の変更のインジケーションをネットワークノード１４０から取得する。そして、受信されるビームリファレンス信号ｒ１，ｒ２，...，ｒｋ，...，ｒＮのうちの少なくとも１つについての補償ファクタｃ１，ｃ２，...，ｃｋ，...，ｃＮのそれぞれの新たな値は、端末デバイス２００によるインジケーションの受信後にのみ判定される。
【００８１】
図４の（ａ）及び（ｂ）は、端末デバイス２００並びにネットワークノード１４及びそのＴＲＰ１５０に焦点を当てて、図２の通信ネットワーク１００の一部１００ａ、１００ｂを概略的に示している。
【００８２】
図４の（ａ）において、ネットワークノード１４０は、ビームリファレンス信号ｒ１，ｒ２，...，ｒｋ，...，ｒＮのセットの第１回目を、指向性ビームのセット１６０の各ビームにおいて送信する。各指向性ビーム１６０ａ，１６０ｂ，...，１６０ｉ，...，１６０Ｋにおいて１つのＳＳＢが送信され得る。端末デバイス２００は、単一の固定ビームｂ０により定義されるビームのセット１７０を用いて、ビームリファレンス信号ｒ１，ｒ２，...，ｒｋ，...，ｒＮのセットの第１回目を受信する。
【００８３】
さらに、指向性ビームのセット１６０がＫ個の指向性ビームからなる場合、端末デバイス２００は、ビームリファレンス信号のセットの第１回目を、Ｋ個の指向性ビームの各々において１回としてＫ回受信してもよい。一例によれば、各指向性ビームは１つのＳＳＢを含み、各ＳＳＢは４つのビームリファレンス信号ｒ１，ｒ２，...，ｒｋ，...，ｒＮ（よって、Ｎ＝４）を含み、各ビームリファレンス信号は１つのＯＦＤＭシンボルを占める。
【００８４】
端末デバイス２００は、全ての指向性ビーム１６０ａ〜１６０Ｋのうちの少なくとも最良の指向性ビーム（即ち、最高の電力で受信された指向性ビーム）について、ビームリファレンス信号ｒ１，ｒ２，...，ｒｋ，...，ｒＮの受信電力を測定し、ＳＳＢの各々のＳＳＳに関するＲＳＲＰ測定に基づくなどして、その最良の指向性ビーム（例えば、ビーム１６０ｉ）において送信されたそれらビームリファレンス信号ｒ１，ｒ２，...，ｒｋ，...，ｒＮのうちの１つが最も強い受信信号をもたらしていると判定する。
【００８５】
いくつかの例において、受信電力は、最も強い電力で受信されたビームにおいてのみ（即ち、指向性ビーム１６０ａ〜１６０Ｋのうちの最良のものについてのみ）、ビームリファレンス信号ｒ１，ｒ２，...，ｒｋ，...，ｒＮごとに測定される。他の例において、受信電力は、ネットワークノード１４０からビームリファレンス信号ｒ１，ｒ２，...，ｒｋ，...，ｒＮが送信された全てのビームについて（即ち、指向性ビーム１６０ａ〜１６０Ｋの全てについて）の平均として、ビームリファレンス信号ｒ１，ｒ２，...，ｒｋ，...，ｒＮごとに測定される。
【００８６】
例えば、あらためてＮ＝４であり、よって４つのＯＦＭＤシンボルについて同じ固定ビームｂ０を用いて受信される際の受信電力は次の通りであるものとする：
【００８７】
ビームリファレンス信号ｒ１：−５３ｄＢｍ、ビームリファレンス信号ｒ２：−５６ｄＢｍ、ビームリファレンス信号ｒ３：−５８ｄＢｍ、ビームリファレンス信号ｒ４：−５６ｄＢｍ
【００８８】
（ＯＦＤＭシンボルごとの）ＲＳＲＰ測定結果に基づいて、端末デバイス２００は、単一のビームの範囲内での相異なるビームリファレンス信号ｒ１，ｒ２，...，ｒｋ，...，ｒＮの間の周波数割当て及び／又は出力電力の潜在的な差を補償する目的で、少なくとも最高の信号電力で受信されたビームについて、それぞれビームリファレンス信号ｒ１，ｒ２，...，ｒｋ，...，ｒＮのための補償ファクタを判定する。説明対象の例については、上で挙示した差を補償するために、次の補償ファクタのセットが判定され得る：
【００８９】
ｃ１＝−３ｄＢ、ｃ２＝０ｄＢ、ｃ３＝＋２ｄＢ、ｃ４＝−０ｄＢ
【００９０】
説明対象の例について判定され得る差を補償するための補償ファクタの他のセットは、次の通りであり得る：
【００９１】
ｃ１＝０ｄＢ、ｃ２＝＋３dB、ｃ３＝＋５ｄＢ、ｃ４＝＋３ｄＢ
【００９２】
そして、指向性ビームのセット１６０内の最良のビームにおいて到来する送信の期間中（即ち、端末デバイス２００がビームリファレンス信号ｒ１，ｒ２，...，ｒｋ，...，ｒＮのセットの第２回目、第３回目などを受信する際）に受信信号電力に補償ファクタｃ１，ｃ２，...，ｃｋ，...，ｃＮが加算される。指向性ビームのセット１６０内の最良のビームにおいてビームリファレンス信号ｒ１，ｒ２，...，ｒｋ，...，ｒＮのセットの第２回目を受信する際、端末デバイス２００は、自身が有する指向性ビームｂ１，ｂ２，...，ｂｋ，...，ｂＮにおいてビームリファレンス信号を（例えば、アナログビーム形成を使用する際にビームのセット１７０内の自身の受信側指向性ビームをスイープすることにより）受信して、図４の（ｂ）のように、相異なる指向性ビームｂ１，ｂ２，...，ｂｋ，...，ｂＮについて比較可能な受信電力測定結果を獲得する。
【００９３】
さらに、端末デバイス２００は、ビームリファレンス信号ｒ１，ｒ２，...，ｒｋ，...，ｒＮのセットの第２回目を受信する際に、最良の指向性ビーム１６０ｉだけでなく、ビームリファレンス信号ｒ１，ｒ２，...，ｒｋ，...，ｒＮが送信される各指向性ビーム１６０ａ〜１６０Ｋについて自身の受信ビームをスイープ（即ち、相異なる指向性ビームｂ１，ｂ２，...，ｂｋ，...，ｂＮのうちの相異なるものを順に使用）するように構成されてもよい。これが特に有利であるのは、ネットワークノード１４０が制御シグナリング又はデータシグナリングの送信時に指向性ビームのセット１６０内で他のビームへの切替えを行うと決定し、よって現行の最良の指向性ビーム１６０ｉを使用しない場合である。端末デバイス２００は、こうしたビームスイーピングを行う場合、ネットワークノード１４０により使用される新たな指向性ビームについてどの指向性ビームｂ１，ｂ２，...，ｂｋ，...，ｂＮを使用すべきかを知得済みである。よって、端末デバイス２００は、ネットワークノード１４０によりどの指向性ビーム１６０ａ〜１６０Ｋが使用されるかに関わらず、ビームリファレンス信号ｒ１，ｒ２，...，ｒｋ，...，ｒＮの各送信についてのそのビームスイープの期間中に、判定した補償ファクタを使用することができる。
【００９４】
図５は、端末デバイス２００及びネットワークノード１４０により実行されるビームトレーニングのための方法のシグナリング図である。
【００９５】
Ｓ２０１：ネットワークノード１４０は、ビームリファレンス信号ｒ１，ｒ２，...，ｒｋ，...，ｒＮのセットの第１回目を、指向性ビームのセットの各ビームにおいて送信する。端末デバイス２００は、固定ビームｂ０においてそれらビームリファレンス信号を受信する。
【００９６】
Ｓ２０２：端末デバイス２００は、受信されるビームリファレンス信号ｒ１，ｒ２，...，ｒｋ，...，ｒＮのうちの少なくとも１つを除く全てについて、それぞれの補償ファクタｃ１，ｃ２，...，ｃｋ，...，ｃＮを判定する。補償ファクタは、ステップＳ２０２において、最高の受信電力で受信されたＳＳＢに少なくとも基づいて判定される。
【００９７】
Ｓ２０３：ネットワークノード１４０は、ビームリファレンス信号ｒ１，ｒ２，...，ｒｋ，...，ｒＮのセットの第２回目を、指向性ビームのセットの各ビームにおいて送信する。端末デバイス２００は、指向性ビームｂ１，ｂ２，...，ｂｋ，...，ｂＮのセットを用いて、それらビームリファレンス信号を受信する。
【００９８】
Ｓ２０４：端末デバイス２００は、指向性ビームｂ１，ｂ２，...，ｂｋ，...，ｂＮのセットを用いて受信されるビームリファレンス信号の測定結果に補償ファクタｃ１，ｃ２，...，ｃｋ，...，ｃＮを適用することにより、ネットワークノード１４０との後続の通信のために指向性ビームｂ１，ｂ２，...，ｂｋ，...，ｂＮのセット内のどの指向性ビームを使用すべきかを評価する。
【００９９】
Ｓ２０５：端末デバイス２００は、ステップＳ２０４における評価の期間中に判定した最良の指向性ビームの報告をネットワークノード１４０へ返す。
【０１００】
図６は、数個の機能ユニットの観点で、一実施形態に係る端末デバイス２００のコンポーネントを概略的に示している。処理回路２１０は、例えば記憶媒体２３０の形式の（図８のような）コンピュータプログラムプロダクト８１０に記憶されたソフトウェア命令群を実行可能な、適切なＣＰＵ（central processing unit）、マルチプロセッサ、マイクロコントローラ、ＤＳＰ（digital signal processor）などのうちの１つ以上の任意の組合せを用いて提供される。処理回路２１０は、さらに、少なくとも１つのＡＳＩＣ（application specific integrated circuit）又はＦＰＧＡ（field programmable gate array）として提供されてもよい。
【０１０１】
具体的には、処理回路２１０は、上で開示した動作又はステップのセットを端末デバイス２００に行わせるように構成される。例えば、記憶媒体２３０が動作のセットを記憶してもよく、処理回路２１０は、記憶媒体２３０から動作のセットを読出して、その動作のセットをデバイス２００に行わせる、ように構成されてもよい。動作のセットは、実行可能な命令群のセットとして提供されてもよい。
【０１０２】
こうして、処理回路２１０は、ここで開示した通りの方法をそれにより実行するようになされる。記憶媒体２３０は、例えば磁気メモリ、光学メモリ、ソリッドステートメモリ、あるいは遠隔的に搭載されるメモリのうちの任意の１つ又は組合せであり得る永続的なストレージをも含んでよい。端末デバイス２００は、ネットワークノード１４０など、通信ネットワーク１００、１００ａ、１００ｂの他のエンティティ、ノード及びデバイスとの通信のために少なくとも構成される通信インタフェース２２０をさらに備えてよい。そのため、通信インタフェース２２０は、アナログ及びデジタルのコンポーネント群を含む１つ以上の送信機及び受信機を備えてよい。処理回路２１０は、端末デバイス２００の全般的な動作を、例えば通信インタフェース２２０及び記憶媒体２３０へデータ及び制御信号を送信することにより、通信インタフェース２２０からデータ及びレポートを受信することにより、並びに、記憶媒体２３０からデータ及び命令群を読出すことにより制御する。端末デバイス２００の他のコンポーネント及び関連する機能性は、ここで提示される概念を曖昧にしないために省略されている。
【０１０３】
図７は、数個の機能モジュールの観点で、一実施形態に係る端末デバイス２００のコンポーネントを概略的に示している。図７の端末デバイス２００は、ステップＳ１０２を実行するように構成される受信モジュール２１０ａ、ステップＳ１０４を実行するように構成される判定モジュール２１０ｂ、ステップＳ１０６を実行するように構成される受信モジュール２１０ｃ、及びステップＳ１０８を実行するように構成される評価モジュール２１０ｅ、といった複数の機能モジュールを備える。図７の端末デバイス２００は、ステップＳ１０６ａを実行するように構成される受信モジュール２１０ｄ、ステップＳ１１０を実行するように構成される通信モジュール２１０ｆ、ステップＳ１１２ａを実行するように構成される起動モジュール２１０ｇ、ステップＳ１１２ｂを実行するように構成されるハンドオーバモジュール２１０ｈ、及びステップＳ１１２ｃを実行するように構成される取得モジュール２１０ｉ、のうちの任意のものといった随意的な数個の機能モジュールをさらに備えてもよい。
【０１０４】
概していうと、各機能モジュール２１０ａ〜２１０ｉは、ある実施形態においてはハードウェアのみで、他の実施形態においてはソフトウェアの支援と共に実装されてよく、即ち、後者の実施形態は、記憶媒体２３０に記憶されるコンピュータプログラム命令群であって、処理回路において実行された場合に、端末デバイス２００に図８に関連して上で言及した対応するステップ群を行わせるコンピュータプログラム命令群、を有する。また、触れておくべきこととして、モジュール群はコンピュータプログラムの部分に対応するとしても、その中でそれらは別々のモジュールである必要はなく、それらをソフトウェアで実装する手法は、使用されるプログラミング言語に依存する。好適には、１つ以上の又は全ての機能モジュール２１０ａ〜２１０ｉが、恐らくは通信インタフェース２２０及び／又は記憶媒体２３０と協働する処理回路２１０により実装されてよい。処理回路２１０は、よって、機能モジュール２１０ａ〜２１０ｉにより提供される命令群を記憶媒体２３０から取得してそれら命令群を実行するように構成されてよく、それにより、ここで開示したような任意のステップ群を実行する。
【０１０５】
端末デバイス２００は、スタンドアローンのデバイスとして、又は少なくとも１つのさらなるデバイスの一部として提供されてよい。端末デバイス２００の様々な例が上で開示されている。端末デバイス２００により実行される命令群の第１の部分が第１の物理デバイスにおいて実行され、端末デバイス２００により実行される命令群の第２の部分が第２の物理デバイスにおいて実行されてもよい。ここで開示される実施形態は、端末デバイス２００により実行される命令群の実行場所であり得る物理デバイスの具合的な数には何ら限定されない。したがって、図６には単一の処理回路２１０が示されているものの、処理回路２１０は、複数の物理デバイスをまたいで分散されてもよい。同じことが、図７の機能モジュール２１０ａ〜２１０ｉ、及び図８のコンピュータプログラム８２０（下記を参照）に当てはまる。
【０１０６】
図８は、コンピュータ読取可能な記憶媒体８３０を含むコンピュータプログラムプロダクト８１０の１つの例を示している。このコンピュータ読取可能な記憶媒体８３０にコンピュータプログラム８２０を記憶させることができ、コンピュータプログラム８２０は、処理回路２１０並びにそこへ動作可能に連結された通信インタフェース２２０及び記憶媒体２３０といったエンティティ及びデバイスに、ここで説明した実施形態に係る方法を実行させることができる。コンピュータプログラム８２０及び／又はコンピュータプログラムプロダクト８１０は、このようにして、ここで開示した通りの任意のステップ群を実行するための手段を提供してよい。
【０１０７】
図８の例において、コンピュータプログラムプロダクト８１０は、ＣＤ（compact disc）、ＤＶＤ（digital versatile disc）又はブルーレイディスクといった光ディスクとして示されている。コンピュータプログラムプロダクト８１０は、ＲＡＭ（random access memory）、ＲＯＭ（read-only memory）、ＥＰＲＯＭ（erasable programmable read-only memory）、又はＥＥＰＲＯＭ（electrically erasable programmable read-only memory）といったメモリとして、より具体的にいうと、ＵＳＢ（Universal Serial Bus）メモリ、又はコンパクトフラッシュメモリなどのフラッシュメモリといった、外部メモリ内のデバイスの不揮発性の記憶媒体として具現化されてもよい。よって、コンピュータプログラム８２０がここで描かれた光ディスク上のトラックとして概略的に示されているものの、コンピュータプログラム８２０は、コンピュータプログラムプロダクト８１０に適したいかなる手法で記憶されることもできる。
【０１０８】
発明の概念を、主として若干の実施形態を参照しながら上で説明した。しかしながら、当業者にとって容易に理解されるように、添付の特許請求の範囲により定義される通りの発明概念のスコープの範囲内で、上で開示したもの以外の他の実施形態が等しく可能である。
【図１】
2021536168.tif 000003
【図２】
2021536168.tif 000004
【図３】
2021536168.tif 000005
【図４】
2021536168.tif 000006
【図５】
2021536168.tif 000007
【図６】
2021536168.tif 000008
【図７】
2021536168.tif 000009
【図８】
2021536168.tif 000010
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
ビームトレーニングのための方法であって、前記方法は端末デバイス（２００）により実行され、前記方法は、
固定ビームｂ０を用いて、ネットワークノード（１４０）から、ビームリファレンス信号ｒ１，ｒ２，...，ｒｋ，...，ｒＮのセットの第１回目を受信すること（Ｓ１０２）と、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること（Ｓ１０４）と、
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること（Ｓ１０６）と、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価すること（Ｓ１０８）であって、ｋ＝１，...，Ｎとして指向性ビームｂｋについての信号強度が補償ファクタｃｋを用いて補償される、評価することと、を含む、方法。
【請求項２】
請求項１に記載の方法であって、各ビームリファレンス信号ｒ１，ｒ２，...，ｒｋ，...，ｒＮは、時間方向に１つの直交周波数分割多重（ＯＦＤＭ）シンボルを占める、方法。
【請求項３】
請求項１又は２に記載の方法であって、ビームリファレンス信号ｒ１，ｒ２，...，ｒｋ，...，ｒＮの前記セットは、同期信号ブロック（ＳＳＢ）により定義される、方法。
【請求項４】
請求項１乃至３のいずれか１項に記載の方法であって、ビームリファレンス信号ｒ１，ｒ２，...，ｒｋ，...，ｒＮの前記セットは、Ｎ＝４となるように４つのビームリファレンス信号を含む、方法。
【請求項５】
請求項１乃至４のいずれか１項に記載の方法であって、前記最も強い受信ビームリファレンス信号は、リファレンス信号受信電力（ＲＳＲＰ）の観点で判定される、方法。
【請求項６】
請求項５に記載の方法であって、前記ビームリファレンス信号ｒ１，ｒ２，...，ｒｋ，...，ｒＮの各々は、セカンダリ同期信号（ＳＳＳ）を含み、前記ＲＳＲＰは、前記ＳＳＳについて判定される、方法。
【請求項７】
請求項１乃至６のいずれか１項に記載の方法であって、前記補償ファクタｃ１，ｃ２，...，ｃｋ，...，ｃＮは、前記固定ビームｂ０において受信された際のそれぞれの前記ビームリファレンス信号ｒ１，ｒ２，...，ｒｋ，...，ｒＮの受信電力における差に関する、方法。
【請求項８】
請求項１乃至７のいずれか１項に記載の方法であって、前記補償ファクタｃ１，ｃ２，...，ｃｋ，...，ｃＮは、それぞれの前記ビームリファレンス信号ｒ１，ｒ２，...，ｒｋ，...，ｒＮの周波数位置における差に関する、方法。
【請求項９】
請求項１乃至８のいずれか１項に記載の方法であって、前記評価の際の前記信号強度は、受信電力の観点で判定される、方法。
【請求項１０】
請求項９に記載の方法であって、前記固定ビームｂ０を用いて受信された際の全てのビームリファレンス信号ｒ１，ｒ２，...，ｒｋ，...，ｒＮのうちでビームリファレンス信号ｒｊが最高の受信電力を有し、補償ファクタｃｋは、ビームリファレンス信号ｒｋと最高の受信電力を有するビームリファレンス信号ｒｊとの間の受信電力における差ｄｋを特定する、方法。
【請求項１１】
請求項１０に記載の方法であって、指向性ビームｂｋについての前記信号強度は、ｋ＝１，...，Ｎとして指向性ビームｂｋの前記受信電力に受信電力における前記差ｄｋを加算することにより補償される、方法。
【請求項１２】
請求項１乃至１１のいずれか１項に記載の方法であって、前記固定ビームｂ０は、前記指向性ビームｂ１，ｂ２，...，ｂｋ，...，ｂＮよりも幅広である、方法。
【請求項１３】
請求項１乃至１２のいずれか１項に記載の方法であって、前記指向性ビームｂ１，ｂ２，...，ｂｋ，...，ｂＮの各々は、前記固定ビームｂ０よりも狭いビーム幅を有する、方法。
【請求項１４】
請求項１乃至１３のいずれか１項に記載の方法であって、前記ビームトレーニングは、前記ネットワークノード（１４０）への前記端末デバイス（２００）の初期アクセスの一部として、又は前記端末デバイス（２００）による前記ネットワークノード（１４０）へのハンドオーバ後に行われる、方法。
【請求項１５】
請求項１乃至１４のいずれか１項に記載の方法であって、ビームリファレンス信号ｒ１，ｒ２，...，ｒｋ，...，ｒＮの前記セットは、前記端末デバイス（２００）により周期的に受信される、方法。
【請求項１６】
請求項１乃至１５のいずれか１項に記載の方法であって、
ビームリファレンス信号ｒ１，ｒ２，...，ｒｋ，...，ｒＮのセットの前記第１回目を受信する際に、タイマを起動すること（Ｓ１１２ａ）、をさらに含み、 
受信される前記ビームリファレンス信号ｒ１，ｒ２，...，ｒｋ，...，ｒＮのうちの少なくとも１つについての前記補償ファクタｃ１，ｃ２，...，ｃｋ，...，ｃＮのそれぞれの新たな値は、前記タイマの満了後にのみ判定される、方法。
【請求項１７】
請求項１６に記載の方法であって、前記タイマは、高々１時間、あるいは高々３０分、好適には１分未満、という満了時間を有する、方法。
【請求項１８】
請求項１乃至１７のいずれか１項に記載の方法であって、
前記ネットワークノード（１４０）から他のネットワークノード（１４０）へのハンドオーバに参加すること（Ｓ１１２ｂ）、をさらに含み、
受信される前記ビームリファレンス信号ｒ１，ｒ２，...，ｒｋ，...，ｒＮのうちの少なくとも１つについての前記補償ファクタｃ１，ｃ２，...，ｃｋ，...，ｃＮのそれぞれの新たな値は、前記端末デバイス（２００）により前記ネットワークノード（１４０）から前記他のネットワークノード（１４０）へのハンドオーバ後にのみ判定される、方法。
【請求項１９】
請求項１乃至１８のいずれか１項に記載の方法であって、
前記ビームリファレンス信号ｒ１，ｒ２，...，ｒｋ，...，ｒＮの送信電力の変更のインジケーションを前記ネットワークノード（１４０）から取得すること（Ｓ１１２ｃ）、をさらに含み、
受信される前記ビームリファレンス信号ｒ１，ｒ２，...，ｒｋ，...，ｒＮのうちの少なくとも１つについての前記補償ファクタｃ１，ｃ２，...，ｃｋ，...，ｃＮのそれぞれの新たな値は、前記端末デバイス（２００）による前記インジケーションの受信後にのみ判定される、方法。
【請求項２０】
請求項１乃至１９のいずれか１項に記載の方法であって、前記ビームリファレンス信号は、前記端末デバイス（２００）でのアナログビーム形成を用いて受信される、方法。
【請求項２１】
請求項１乃至２０のいずれか１項に記載の方法であって、前記評価の結果として、ｋ＝１，...，Ｎとして前記補償ファクタｃｋを用いて補償された最も強い受信ビームリファレンス信号を伴う前記指向性ビームｂ１，ｂ２，...，ｂｋ，...，ｂＮが前記ネットワークノード（１４０）との後続の通信向けの使用のために選択され、前記方法は、選択される前記指向性ビームを用いて、前記ネットワークノード（１４０）と通信すること（Ｓ１１０）、をさらに含む、方法。
【請求項２２】
請求項１乃至２１のいずれか１項に記載の方法であって、 
ｋ＝１，...，Ｎとしてビームリファレンス信号ｒｋが指向性ビームｂＮ＋ｋにおいて受信されるように、指向性ビームｂＮ＋１，ｂＮ＋２，...，ｂＮ＋ｋ，...，ｂＮ＋Ｎのさらなるセットを用いて、ビームリファレンス信号ｒ１，ｒ２，...，ｒｋ，...，ｒＮの前記セットの第３回目を受信すること（Ｓ１０６ａ）、をさらに含み、
ビームリファレンス信号ｒ１，ｒ２，...，ｒｋ，...，ｒＮの前記セットの前記第３回目における最も強い受信ビームリファレンス信号にも基づいて、前記ネットワークノード（１４０）との後続の通信のために指向性ビームｂ１，ｂ２，...，ｂｋ，...，ｂＮの前記セット内のどの指向性ビームを使用すべきかが評価され、ｋ＝１，...，Ｎとして指向性ビームｂＮ＋ｋについての信号強度が補償ファクタｃｋを用いて補償される、方法。
【請求項２３】
ビームトレーニングのための端末デバイス（２００）であって、前記端末デバイス（２００）は、処理回路（２１０）を備え、前記処理回路は、前記端末デバイス（２００）に、
固定ビームｂ０を用いて、ネットワークノード（１４０）から、ビームリファレンス信号ｒ１，ｒ２，...，ｒｋ，...，ｒＮのセットの第１回目を受信することと、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定することと、
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信することと、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価することであって、ｋ＝１，...，Ｎとして指向性ビームｂｋについての信号強度が補償ファクタｃｋを用いて補償される、評価することと、
を行わせるように構成される、端末デバイス（２００）。
【請求項２４】
ビームトレーニングのための端末デバイス（２００）であって、前記端末デバイス（２００）は、
固定ビームｂ０を用いて、ネットワークノード（１４０）から、ビームリファレンス信号ｒ１，ｒ２，...，ｒｋ，...，ｒＮのセットの第１回目を受信するように構成される受信モジュール（２１０ａ）と、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定するように構成される判定モジュール（２１０ｂ）と
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信するように構成される受信モジュール（２１０ｃ）と、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価するように構成される評価モジュール（２１０ｅ）であって、ｋ＝１，...，Ｎとして指向性ビームｂｋについての信号強度が補償ファクタｃｋを用いて補償される、評価モジュールと、を備える、端末デバイス（２００）。
【請求項２５】
請求項２３又は２４に記載の端末デバイス（２００）であって、請求項２乃至２２のいずれか１項に記載の方法を実行するようにさらに構成される、端末デバイス（２００）。
【請求項２６】
ビームトレーニングのためのコンピュータプログラム（８２０）であって、前記コンピュータプログラムは、コンピュータコードを含み、前記コンピュータコードは、端末デバイス（２００）の処理回路（２１０）において実行された場合に、前記端末デバイス（２００）に、
固定ビームｂ０を用いて、ネットワークノード（１４０）から、ビームリファレンス信号ｒ１，ｒ２，...，ｒｋ，...，ｒＮのセットの第１回目を受信すること（Ｓ１０２）と、
受信される前記ビームリファレンス信号ｒ１，ｒ２，...，ｒｋ，...，ｒＮのうちの少なくとも１つについて、それぞれの補償ファクタｃ１，ｃ２，...，ｃｋ，...，ｃＮを判定すること（Ｓ１０４）と、
指向性ビームｂ１，ｂ２，...，ｂｋ，...，ｂＮのセットを用いて、前記ネットワークノード（１４０）から、ｋ＝１，...，Ｎとしてビームリファレンス信号ｒｋが指向性ビームｂｋにおいて受信されるように、ビームリファレンス信号ｒ１，ｒ２，...，ｒｋ，...，ｒＮの前記セットの第２回目を受信すること（Ｓ１０６）と、
ｋ＝１，...，Ｎとして前記補償ファクタｃｋを用いて補償を行いつつ、ビームリファレンス信号ｒ１，ｒ２，...，ｒｋ，...，ｒＮの前記セットの前記第２回目における最も強い受信ビームリファレンス信号に基づいて、前記ネットワークノード（１４０）との後続の通信のために指向性ビームｂ１，ｂ２，...，ｂｋ，...，ｂＮの前記セット内のどの指向性ビームを使用すべきかを評価すること（Ｓ１０８）であって、ｋ＝１，...，Ｎとして指向性ビームｂｋについての信号強度が補償ファクタｃｋを用いて補償される、評価することと、
を行わせる、コンピュータプログラム（８２０）。
【請求項２７】
請求項２６に記載のコンピュータプログラム（８２０）を記憶したコンピュータ読取可能な記憶媒体（８３０）。
【国際調査報告】
2021536168.tif 000011
2021536168.tif 000012